(57)【要約】【目的】防犯用ドア２の下位に設けた人の入れない大きさの開口１３を、郵便物受箱付宅配小荷物受１５の外側板１６により開放可能に閉塞し、当該防犯用ドアを開放することなく、その開口１３を内側から開放し、同開口１３から宅配小荷物等を受領した後閉塞し、不心得な宅配小荷物配達人等の被害を受けない郵便物受箱、宅配小荷物受付防犯用ドア２を提供する。【構造】防犯用ドア２の下縁から約２０〜３０ｃｍ離間する上位の平板４に不審者の侵入できない開口１３設け、その内側に郵便物受箱付宅配小荷物受１５の下部をヒンジ２０付けし、同開口１３な内側をそれより広い外側板１６で閉塞し、同郵便物受箱付宅配小荷物受１５上部をロックハンドル２５でロックして開口１３の閉塞状態を確保し、防犯用ドア２の内側からロックを解除して開放した開口１３から、宅配小荷物を受領し、その受領手続等の終了後、同開口１３を外側板１６で閉塞し、郵便物受箱付宅配小荷物受１５をロックハンドル２５でロックする。【選択図】  図３
2004225499.tif 000002
【特許請求の範囲】
【請求項１】
防犯用ドアの下縁から約２０〜３０ｃｍ程度離間する上位の平板に、高さ約１５〜２０ｃｍ程度、高さが約１５〜２０ｃｍ程度、幅が約１５〜４０ｃｍ程度の開口を設け、該開口周り内側に常時当接して同開口を閉塞し、頂部に郵便物受口を具える外側板と、その内側に郵便物受入部を具える郵便物受箱付宅配小荷物受の下部を、該開口の内側下部に回動可能にヒンジ付けすると共に、該郵便物受箱付宅配小荷物受の外側上縁部を、当該防犯用ドアの前記開口上縁部よりやや上位内側に、当該防犯用ドア内側からの操作により開放可能なロック手段により取付けたことを特徴とする郵便物受箱、宅配小荷物受付防犯用ドア。
【請求項２】
郵便物受箱付宅配小荷物受上部の開放可能なロックハンドル等のロック手段より下位でその上部に、当該郵便物受箱付宅配小荷物受内の郵便物取出用上蓋を、ヒンジ等の開閉可能な手段により取付けたことを特徴とする請求項Ｉ記載の郵便物受箱、宅配小荷物受付防犯用ドア。
【請求項３】
前記防犯用ドア平板の開口周り内側に、適宜形状の平板状補強板をスポット溶接等の適宜手段により貼着したことを特徴とする請求項Ｉ又は２の何れかに記載の郵便物受箱、宅配小荷物受付防犯用ドア。
【請求項４】
前記開口形成前の防犯用ドア平板の、同開口内の切除予定部を、当該開口の上下、左右縁に沿って、その内側に折返し可能な４切断片とするように切断し、該各切断片を当該開口の上下、左右縁に沿って、前記平板内側に折返して補強板とし、該折返し補強板をスポット溶接等の適宜手段により前記開口周りの平板内側に貼着して、当該開口周りの平板を補強したことを特徴とする請求項１〜３の何れかに記載の郵便物受箱、宅配小荷物受付防犯用ドア。
【発明の詳細な説明】
【０００１】
【発明の属する技術の分野】この発明は、郵便物受箱、宅配小荷物受付防犯用ドア、殊に、玄関ドア等の各種ドアを開放することなく、当該ドアの開口部内側に郵便物受箱付宅配小荷物受を、当該ドアの内側から開閉操作可能に設けることにより、宅配小荷物を受取る際、当該ドアを開放することなくその内側から、当該郵便物受箱付宅配小荷物受を、その上部ロック手段を開放して、当該ドアの内側に倒し、開放された同開口を介して受領する一方、同開口を介して押印等の当該宅配小荷物の受領手続を、危険発生を伴うことなく可能にした郵便物受箱、宅配小荷物受付防犯用ドアに関するものである。
【０００２】
【従来の技術】従来の宅配小荷物受箱付ドアとしては、例えば、実用新案登録第３０８５９９４号公報及び同第３０８５９９５号公報に記載されるようなものがある。
【０００３】
前記実用新案登録第３０８５９９４号公報及び同第３０８５９９５号公報記載の宅配小荷物受箱付ドアは、玄関ドアの開口部外側に外扉を開閉自在に取付けると共に、同開口部内側に伸縮自在な収納庫を設け、該収納庫を通常は短縮状態にし、荷物を受け入れたとき伸長させて収納可能にしたもの、及び玄関ドアの開口部外側に外ドアを開閉自在に取付けると共に、同開口部内側に収納部を突設し、前記外ドアに隣接する玄関ドアの開口部外側に数字合わせ錠を設け、キーを同外ドアに契合自在とし、該キーによる前記契合解除器を前記数字合わせ錠に対応させて、玄関ドアの開口部内側に設けた宅配小荷物受箱付安全ドアであり、前者は、荷物の大きさや、配達時間の制約を受けることがなく、また、後者は本人不在でも荷物の集荷、配達を確実かつ容易にすると共に、数字合わせ錠による操作の不便を解消させたものである。
【０００４】
また、玄関ドアの上部又は下部若しくは上部及び下部に開口を設け、該玄関ドアの上部開口に防犯用小扉を、下部開口に耐震用小扉を夫々開閉可能に設けることにより、当該玄関ドアを開くことなく、防犯用小扉の開放により上部開口から訪問者の確認を、また、耐震用小扉を開放して災害発生時に、下部開口から避難できるようにしたものも知られている｛栃木県宇都宮市下荒針町、加藤建商株式会社発行、防犯・耐震少扉のカタログ参照｝。
【０００５】
【従来技術における課題】前記実用新案登録第３０８５９９４号公報及び同第３０８５９９５号公報記載の宅配ボックス付玄関ドアにあっては、荷物の大きさや、配達時間の制約を受けることなく、また、本人不在でも荷物の集荷、配達を確実かつ容易にできるものの、いずれも、仮に、宅配ボックス錠のキーを持つ不心得な荷物集配者がいると、当該玄関ドアを開放することなく、その宅配ボックス錠をキーにより開放して当該玄関ドアの開口部から、不用意に侵入される恐れがあった。
【０００６】
また、前記加藤建商株式会社発行、防犯・耐震小扉のカタログ記載の玄関ドアにあっては、当該玄関ドアの上部、下部の開口に、防犯用小扉又は耐震用小扉を開閉可能に設けたことにより、玄関ドアを開放することなく、防犯用小扉を開放して訪問者の確認をすることができ、また、耐震用小扉の開放により災害発生の際、当該玄関ドアを開放することなく避難できるものの、前記上部又は下部開口の大きさ如何により、防犯用小扉又は耐震用小扉の回動被より開放した上部又は下部開口から、不心得な訪問者の侵入を招く恐れがあった。
【０００７】
【従来技術における解決課題】この発明は、前記のよな従来例における課題に着目してなされたもので、前記実用新案登録第３０８５９９４号公報及び同第３０８５９９５号公報記載の宅配ボックス付玄関ドア、並びに前記加藤建商株式会社発行、防犯・耐震小扉のカタログ記載の防犯用小扉又は耐震用小扉に残る前記のような課題、即ち、荷物の大きさの制約を殆ど受けることなく、しかも、仮に、不心得な宅配小荷物集配者がいても、当該玄関ドアを開放することなく、その開口を開放して不心得な宅配小荷物配達者の侵入を招く恐れがなく、また、前記加藤建商株式会社発行、防犯・耐震小扉のカタログ記載の玄関ドアにあっては、当該玄関ドアの上部、下部の開口に、開閉可能に設けた防犯用小扉又は耐震用小扉の開放時に、当該玄関ドアの上部又は下部開口の大きさ如何により、防犯用小扉又は耐震用小扉を回動して開放した、当該上部開口又は下部開口から、不心得な訪問者の侵入を招く恐れがあった。この発明は、係る従来の玄関ドアに残る、その開口を開放して宅配小荷物を受領可能な状態においても、なお、当該開口から不心得者が不用意に侵入できない、郵便物受箱、宅配小荷物受付防犯ドアを提供しようとするものである。
【０００８】
【課題の解決手段】この発明は、前記のような課題を解決するため、防犯用ドアの下縁から約２０〜３０ｃｍ程度離間する上位の平板に、高さ約１５〜２０ｃｍ程度、高さが約１５〜２０ｃｍ程度、幅が約１５〜４０ｃｍ程度の開口を設け、該開口周り内側に常時当接して同開口を閉塞し、頂部に郵便物受口を具える外側板と、その内側に郵便物受入部を具える郵便物受箱付宅配小荷物受の下部を、該開口の内側下部に回動可能にヒンジ付けすると共に、該郵便物受箱付宅配小荷物受の外側上縁部を、当該防犯用ドアの前記開口上縁部よりやや上位内側に、当該防犯用ドア内側からの操作により開放可能なロック手段により取付けた郵便物受箱、宅配小荷物受付防犯用玄関ドアである。
【０００９】
また、郵便物受箱付宅配小荷物受上部の開放可能なロックハンドル等のロック手段より下位でその上部に、当該郵便物受箱付宅配小荷物受内の郵便物取出用上蓋を、ヒンジ等の開閉可能な手段により取付けたものであり、また、前記防犯用ドア平板の開口周り内側に、適宜形状の平板状補強板をスポット溶接等の適宜手段により貼着したものである。
【００１０】
さらに、前記開口形成前の防犯用ドア平板の、同開口内の切除予定部を、当該開口の上下、左右縁に沿って、その内側に折返し可能な４切断片とするように切断し、該各切断片を当該開口の上下、左右縁に沿って、前記平板内側に折返して補強板とし、該折返し補強板をスポット溶接等の適宜手段により前記開口周りの平板内側に貼着して、当該開口周りの平板を補強したものである。
【００１１】
【発明の作用】請求項１の発明によれば、通常の郵便受箱付玄関ドアとどうような作用をする外、宅配小荷物を受取る際、玄関ドアを開放することなく、当該防犯用ドアの下縁から約２０〜３０ｃｍ程度離間する平板上位に設けた、高さが約１５〜２０ｃｍ程度、幅が約１５〜４０ｃｍ程度の開口内側に設けた郵便物受箱付宅配小荷物受を、当該ドアの内側に倒して前記開口を開き、開放された該開口を介して宅配小荷物及び同宅配小荷物扱者の動向等を目視し、危険物、不審者でないと判定した後、倒伏する郵便物受箱付宅配小荷物受上に宅配小荷物を載せ、当該宅配小荷物が誤配でないこと、その安全性等を確認して受領し、同開口を介して、押印等の宅配小荷物受領手続をする。
【００１２】
仮に、前記宅配小荷物が危険物と見られる場合や、当該宅配小荷物扱者が不審者と見られる場合には、一端、略水平状に倒伏させた当該郵便物受箱付宅配小荷物受を起立させて、前記開口を閉塞すると共に、ロックハンドル等のロック手段により、ロックする。
【００１３】
また、前記開口を当該防犯用玄関ドアの下縁から約２０〜３０ｃｍ程度離間する平板の上位に、高さが約１５〜２０ｃｍ程度、幅が約１５〜４０ｃｍ程度の開口を設け、該開口内側周りに常時当接して同開口を閉塞し、頂部に郵便物受口を具える外側板と、その内側に郵便物受入部を具える郵便物受箱付宅配小荷物受の下部を、当該開口の内側下部に回動可能にヒンジ付けしたことにより、当該防犯ドアの開口を介する当該宅配小荷物の宅配を容易にする一方、当該防犯用ドアの開口に、宅配小荷物を挿入する当該宅配小荷物取扱者が姿勢を低く屈めて挿入することになり、当該開口への宅配小荷物挿入時における、その行動自由度が相応に規制され、ひいては、犯罪発生の可能性が減少する。
【００１４】
また、当該郵便物受箱付宅配小荷物受を防犯ドアーの内側に、略水平状に倒伏させて、高さが約１５〜２０ｃｍ、幅が約１５〜４０ｃｍ程度の、当該防犯用ドアの開口を開放し、同開口から通常の宅配小荷物の大半を配達可能にし、仮に、不心得な宅配小荷物取扱者等が来訪しても、不用意に侵入される恐れがない。
【００１５】
請求項２の発明によれば、郵便物受箱付宅配小荷物受上部の開放可能なロックハンドル等のロック手段より下位で、当該郵便物、宅配小荷物受箱の上部に、当該郵便物、宅配小荷物受箱内の郵便物取出用上蓋を、ヒンジ付等の開閉可能な適宜手段により取付けたことにより、当該郵便物、宅配小荷物受箱内の郵便物を取り出せる外、仮に、不心得な来訪者が、郵便物挿入口から針金等の異物を挿入して、当該郵便物受箱付宅配小荷物受上部の開放可能なロック手段を操作しようとしても、該ロック手段がその下位に配設された前記郵便物受箱付宅配小荷物受上部の郵便物取出用上蓋により保護され、従って、当該郵便物受箱付宅配小荷物受上部に設けたロック手段を、当該防犯用ドア外側からの不審者による不用意な開放が阻止される。
【００１６】
請求項３の発明によれば、前記防犯用ドア平板の開口周り内側に、適宜形状の平板状補強板をすっと溶接等の適宜手段により貼着したことにより、当該防犯用ドア平板の開口周りが補強され、ひいては、該防犯ドア平板の板厚を増加させることなく、従って、殆どその重量増を招くことなく、この郵便物受箱、宅配小荷物受付防犯用ドアを提供でき、しかも、既存のドアにも、その下縁から約２０〜３０ｃｍ程度離間する平板の上位に、高さが約１５〜２０ｃｍ、幅が約１５〜４０ｃｍ程度の開口を設けると共に、該開口周り内側に適宜形状の補強板をスポット溶接等の適宜手段により貼着すると共に、その内側に前記郵便物受箱付宅配小荷物受を設けることにより、この発明を容易に実施できる。
【００１７】
請求項４の発明によれば、前記防犯用ドア平板の同形成前の、当該開口縁内側の切除予定部を、該開口の上下、左右縁に沿って、夫々の内側に折り返し可能な４切断片として切断し、該各切断片を該開口の上下、左右縁に沿って、前記平板内側に折返して折返補強板とし、該折返補強板をスポット溶接等の適宜手段により前記平板内側に貼着して、前記開口周りを補強することにより、所要強度を備えるものを容易に構成でき、しかも、既存のドアにもこの発明を容易に実施できる。
【００１８】
【実施態様】以下、この発明に係る郵便物受箱、宅配小荷物受付防犯用ドアの第１、第２実施態様を、添付の図１〜５を参照して説明する。なお、第１、２実施態様に共通する部分には、同一名称、同一符号を用いる。
【００１９】
【第１実施態様】図１は、この発明に係る郵便物受箱、宅配小荷物受付防犯用ドアの第１実施態様を、その裏面側から見た模式平面説明図、図２その模式表面説明図、図３は図２のＳ−Ｓ線に沿う模式従断説明図、図４はこの郵便物受箱、宅配小荷物受付防犯用ドア２の、その平板４の開口１３周りに設けた郵便物受箱付宅配小荷物受を取り外した状態において、当該開口１３周りの裏面に略ロ字状の補強板１４を貼着したものの、模式拡大平面説明図である。
【００２０】
図１〜４において、１はこの発明に係る郵便物受箱、宅配小荷物受付防犯用ドア２をヒンジ５により取付ける、図示しない建物玄関口周りの取付枠、３及び４は郵便物受箱、宅配小荷物受付防犯用ドア２の周縁部及びその平板部、６は防犯用ドア２の開放を規制する図示しない鎖端部の係合金具、７は防犯用ドア２の錠、８及び９はそのノブ及び内鍵、１０は覗き窓である。
【００２１】
なお、前記郵便物受箱、宅配小荷物受付防犯用ドア２の開放を規制する鎖（図示省略）の他端部は、同防犯用ドア２取付枠１の前記錠６対応部に取付けるが、これらの構造及び作用は、郵便物受箱、宅配小荷物受付防犯用ドア２の平板部４に、後述の開口１３を設けると共に、その内側に郵便物受箱付宅配小荷物受１５を設けることを除き、従来の同種の郵便物受口を具えるドア（図示省略）と略同様である。
【００２２】
開口１３は防犯用ドア２の下縁から約２０〜３０ｃｍ離間する平板４の上位に設けた開口で、この開口１３は通常の郵便物投入口（例えば、高さ５×幅３０ｃｍ程度）より充分広く、通常の宅配小荷物の大半を出し入れできる大きさの開口、例えば、その高さＱが約１５〜２０ｃｍ、幅Ｒが約１５〜４０ｃｍ程度の大きさに構成し、該開口１３の開放時に、仮に、不心得な宅配小荷物扱者等の不審者が、当該開口１３を介して不用意に侵入使用としても、進入する恐れのない程度の大きさに構成する。
【００２３】
１４は前記開口１３周りの平板４内側に、例えば、スポット溶接等の適宜貼着手段により貼着し、当該開口１３周りの平板４の補強板で、この補強板１４は適度の強度を備えるもので、例えば、図４に略示するように、その平面視がほぼロ字状をなす平板状のものとして構成される。この補強板１４は前記平板４の開口１３より充分大きく、その中央部に平板４の前記開口１３と略同形、同大の開口１４Ａが設けられ、前記防犯用ドア２の平板４内側に、例えば、スポット溶接等の適宜手段により貼着される。
【００２４】
図４では、補強板１４の、開口１４Ａ下辺１４Ｂの高さ（図４では上下方向）を、その上辺１４Ｃの高さの略２倍にすると共に、その上辺１４Ｃの中央部上側に、該上辺１４Ｃと略等高の突部１４ＣＣを突設したものを略示した。なお、この補強板１４上辺１４Ｃの突部１４ＣＣの幅（左右方向の長さ）は後述のロックハンドル２５等からなるロック手段を取付けて支承できる適宜形状、大きさのものとして、例えば、上辺１４Ｃと同幅に構成することもでき、そのように構成すれば、当該補強板１４の強度、ひいては、前記平板４の開口１３周りを、当該補強板１４の強度に相応するように補強できる。また、この補強板１４は、平板状のものとして構成する外、例えば、高さの低い波板状に構成することにより、高強度の補強板として構成することもできる。
【００２５】
１５は前記平板４部の開口１３内側に設けた郵便物受箱付宅配小荷物受、１６は郵便物受箱付宅配小荷物受１５の前記開口１３周りの平板４部内側に当接し、前記開口１３を常時閉塞する外側板（小ドア）、１７は外側板１６の上部に設けた郵便受口、１８は郵便受口１７を常時閉塞する蓋１９を、開口１３の上部内側に回動可能に取付けるヒンジ、２０は郵便物受箱付宅配小荷物受１５の下部を開口１３の下部内側に回動可能に取付けるヒンジ、２１は郵便物受箱付宅配小荷物受１５の上部開口を常時閉塞する蓋で、蓋２１はヒンジ２２により開口１３の上部内側で、前記蓋１９よりやや上位にヒンジ２２で回動可能に設ける。
【００２６】
２３は蓋２１端部の郵便物受箱付宅配小荷物受１５の開口上縁部への引掛片で、この引掛片２３により蓋２１による当該郵便物受箱付宅配小荷物受１５の、上部開口の閉塞状態を確保する。２４は郵便物受箱付宅配小荷物受１５上部に設けた雌型係合部で、この雌型係合部２４は郵便物受箱付宅配小荷物受１５の上部を閉塞する蓋２１のヒンジ２２より上位に設けられる。２５は開口１３周りの平板４内側に貼着した補強板１４の、上辺１４Ｃの突部１４ＣＣに、ピン２６により回動可能に設けたロックハンドルで、ロックハンドル２５端部の雄型係合部２７を、前記雌型係合部２４に係合させることにより、郵便物受箱付宅配小荷物受１５の上部を、開口１３上部の内側に強固に押圧、ロックし、郵便物受箱付宅配小荷物受１５の外側板（小ドア）１６による、開口１３の閉塞状態を確保する。
【００２７】
【第１実施態様の作用】まず、通常郵便物の配達要領は、従来の郵便受口付玄関ドアと同様で、郵便物配達者はこの郵便物受箱、宅配小荷物受箱付防犯用ドア２の開放を待つことなく、その郵便受口１７に通常郵便物を投入する。郵便物受箱付宅配小荷物受１５に投入された通常郵便物は、本人が蓋２１を開放して取り出す。
【００２８】
一方、この郵便物受箱、宅配小荷物受付防犯用ドア２の（図３では上側）に近接する宅配小荷物の配達者、又は書留、配達証明付郵便物等の特別配達郵便物配達者等の呼び掛けを受けた本人（又はその受領関係者）は、まず、覗き窓により正常な宅配小荷物の配達者、又は特別配達郵便物配達者であるか否かをチェックする。正常な宅配小荷物の配達者又は特別配達郵便物の配達者であれば、本人がロックハンドル２５を図１の反時計方向に回動して、雌型係合部２４に係合するロック状態を解除し、郵便物受箱付宅配小荷物受１５をヒンジ２０周りの反時計方向（図３）に回動して水平状にし（図３の細線の郵便物上毛箱付宅配小荷物受１５参照）、開口１３を開放する。
【００２９】
宅配小荷物又は特別配達郵便物を、開口１３を介して受け取る一方、それらの受領を証する押印等の受領手続を、同開口１３を介してする。この間においても、宅配小荷物配達者又は特別配達郵便物配達者等の動向、及び宅配小荷物又は特別送達郵便物の配達誤りや、危険物か否かのチェック等をし、必要に応じて相応の措置をする。
【００３０】
宅配小荷物又は特別送達郵便物の受領書発行等の手続終了後、郵便物上受箱付宅配小荷物受１５をヒンジ２０周りの時計方向（図３）に回動し同開口１３を閉塞した後、ロックハンドル２５を時計方向（図１）に回動してロックし、この郵便物受箱、宅配小荷物受付防犯用ドア２を通常状態に戻し、次回の宅配小荷物又は特別送達郵便物等の配達に具える。
【００３１】
なお、この郵便物受箱、宅配小荷物受付防犯用ドア２は、いわゆる玄関ドアの外、図示しないが、裏口ドアを始め、各種ドアにも、そのまま適用できる。
【００３２】
【補強板の変形例】この補強板１４は、郵便物受箱、宅配小荷物受付防犯玄関ドア２平板４の、開口１３周りを補強し、即ち、当該防犯用ドア２平板４の開口１３周りへのロックハンドル２５等のロック手段の取付け、及び同ロック手段による前記郵便物受箱付宅配小荷物受１５の取付け、その支承に必要な強度（例えば、当該郵便物受箱付宅配小荷物受１５を、仮に、不審者等が、当該郵便物受箱、宅配小荷物受付防犯用ドア２の内側へ押圧しても、当該開口１３まわりの閉塞状態）を確保できる限り、図４のような略ロ字状に構成する外、図示しないが、当該防犯用ドア２の平板４の大きさを限度として、適宜大きさ、形状の平板状（例えば、六角形、八角形状、円状、楕円状等）の補強板として構成することができ、何れの場合も、前記第１実施例と略同様な作用をする。なお、この補強板１４は、所要の強度、合成を確保できる限り、図示しないが、例えば、高さの低い波板、網板等として構成することもできる。
【００３３】
【第２実施態様】次に、この発明に係る郵便受箱、宅配小荷物受付防犯用ドアの第２実施態様を、その防犯用ドア２平板４の開口１３部内側から郵便物受箱付小荷物受１５を取外し、当該開口１３周り内側に、前記第１実施態様の略ロ状補強板１４とは異なる形状の、他の補強板４４としたものの、要部模式平面説明図の図５を参照して説明する。なお、前記第１実施態様と共通する部分には同一名称、同一符号を用い、また、前記第１実施態様と変わらない部分の図示、説明は省略する。
【００３４】
図５は、この発明に係る郵便物受箱、宅配小荷物受付防犯用ドアの第２実施態様の、防犯用ドア２平板４の開口１３周りに、例えば、スポット溶接等の適宜手段により貼着する補強板４４を、前記第１実施態様のように当該防犯用ドア２平板４とは異なる別材で構成することなく、当該防犯用ドア２の平板４に前記開口１３を形成する前に、その予定する開口１３縁より内側に位置する切除予定部４４Ａに、図５の破線切断線４６を入れて４切断片４４Ｂ〜４４Ｅのように切断した後、各切断片４４Ｂ〜４４Ｅを、当該切除予定部４４Ａ周縁、即ち、前記開口１３周縁（この開口１３周縁は、当該切除予定部４４Ａの周縁と一致する）に沿って、それぞれの内側（図５では紙面上側）に折返すことにより、この第２実施態様の補強板４４を構成する。
【００３５】
この補強板４４の各切断片４４Ｂ〜４４Ｅは、当該防犯用ドア２の平板４内側（図５では紙面の上側）に折返して、折返補強片４４ＢＢ〜４４ＥＥとし、この折返補強片４４ＢＢ〜４４ＥＥを、必要に応じて前記平板４の内側に、例えば、スポット溶接等の適宜手段により貼着（溶着）し、当該開口１３周りの平板４を補強する。
【００３６】
【第２実施態様の作用】第２実施態様は折返片４４ＢＢ〜４４ＥＥを、開口１３周りの平板４内側に折り曲げて補強した部分に、ロックハンドル２５等のロック手段（第Ｉ実施態様の対応部参照）を、前記第１実施態様と同様に設けることにより、前者と略同様な作用をする。その予の構造及び作用は、前記第１実施態様と略同様である。
【００３７】
【第２実施態様の変形例】この発明の第２実施態様の、郵便物受箱、宅配小荷物受付防犯用ドア２の開口１３周りの、平板４内側を補強する補強板４４は、平板４の開口４４内側の切除予定部４４Ａ（図５参照）に、当該開口１３の長方形状をなす各辺（周縁）を底辺とし、その頂辺が底辺より短少な台形状をなす補強板４４Ｂ〜４４Ｅとして構成する（図示省略）ように切断線（図５の破線４６参照）を入れることもでき、この場合には、図５の破線４６の、中央部２本の縦線を削除する一方、同図５の上下の横破線を延ばすことにより、中央部の欠落する長方形状（ロ状）の破線（４６）とする外、図示しないが、図５における切断線４６を、その中央部が当該開口１３より小さく、それと同心、かつ相似形状をなすものとして形成することもでき、この場合には、図５における上下の折返補強片４４Ｂ、４４Ｃの突部４４ＢＢＢ、４４ＣＣＣが欠落し、同上下折返補強片４４ＢＢ、４４ＣＣが形状の整った台形状に構成される。
【００３８】
また、図５の切断線２６の中央部２本の縦線及び、中央部上下２本の横線を欠落させれば、下補強片４４ＢＢが、その下部全幅にわたり長方形状をなす突部として、また、その上補強片４４ＣＣが、その上突部４４ＣＣＣの欠落する台形（符号４４ＣＣ付与部のみ）の補強片として、又は、それらの逆形状の補強片として構成することができ、前者の折返補強片は郵便物受箱付宅配小荷物受１５の水平状に倒伏する状態における、その下部と当該開口１３周りとの繰返される当接に充分対処できる強度確保に着目して、また、後者の折返補強片は郵便物受箱付宅配小荷物受１５の起立状態における、その上部と開口１３上部のロック手段、殊に、そのロックハンドル２５枢支ピン２６の、当該郵便物受箱、宅配小荷物受付防犯用ドア２平板４の、開口１３上部への取付強度確保に着目した構成のものといえる。
【００３９】
以上の説明から理解されるように、この補強板４４の折返補強片４４ＢＢ〜４４ＥＥ、殊に、その上下折返補強片４４ＢＢ、４４ＣＣは、前記切除予定部４４Ａ（開口１３と実質的に同一）の大きさの範囲内において、当該切除予定部４４Ａ（開口１３）、即ち、当該郵便物受箱、宅配小荷物受付防犯用ドア２平板４の開口１３回りが、必要とする条件に対応する適宜形状のものとして構成できる。
【００４０】
【効果】この発明は、前記のような構成を有し、作用をするから、従前の郵便物受箱、宅配小荷物受付ドアと同様な効果の外、次のような特有の効果を奏する。
【００４１】
（１）  請求項１の発明によれば、防犯用ドアーの下縁から約２０〜３０ｃｍ離間する平板上位に、高さが約１５〜２０ｃｍ程度、幅約１５〜４０ｃｍ程度の開口を設け、該開口の内側に、当該開口を越える大きさで、当該防犯用ドア内側への当接面側に、当該開口を越える大きさの、郵便物受箱付宅配小荷物受（の外側板：小ドア）を具え、かつ、該郵便物受箱付宅配小荷物受上部を、当該防犯用ドア内側の前記開口上縁部内側に、当該防犯用ドア内側から開放可能なロック手段により取付けたから、覗き窓、郵便物受け口等を具える通常の玄関ドアと同様な機能を奏する外、仮に、宅配小荷物の宅配者を装う不心得者等の不用意な侵入を防止できる郵便物受箱、宅配小荷物受付防犯用ドアを提供する。
【００４２】
（２）  また、書留等の特別送達郵便物、宅配小荷物を受取る際、防犯用ドアを開放することなく、当該防犯用ドアの開口部内側に設けた郵便物受箱付宅配小荷物受を内側に倒して外側板（小ドア）を開き、開放された開口を介して、書留等の特別送達郵便物の配達者、宅配小荷物配達者等の動向等を目視し、不審者でないことを確認した後、当該開口を介して水平状に倒伏する郵便物受箱付宅配小荷物受の外側板上に載置し、必要に応じて、当該書留等の特別送達郵便物、宅配小荷物の安全性をさらに確認した後受領し、押印等の受領手続を前記開口を介してスムーズにする。
【００４３】
（３）  さらに、前記開口を、防犯用ドア下縁から約２０〜３０ｃｍ程度離間する上位の平板に設けたから、書留等の特別送達郵便物、宅配小荷物等の、防犯用ドアの開口を介する宅配を容易にする外、書留等の特別送達郵便物、宅配小荷物を防犯用ドアの開口へ挿入する、当該書留等の特別送達郵便物、宅配小荷物取扱者の姿勢が、低く屈められることになり、当該書留等の特別送達郵便物、宅配小荷物の宅配時における、当該書留等の特別送達郵便物配達者、宅配小荷物取扱者の行動自由度が低下し、当該書留等の特別送達郵便物配達者、宅配小荷物取扱者が、仮に、不心得な行動をしようとしても相応の規制を受けることになり、ひいては、特別送達郵便物、宅配小荷物等の受領者の安全性が相応に向上する、郵便物受箱、宅配小荷物受付防犯用ドアを提供できる。
【００４４】
（４）  また、この防犯玄関ドアーがその開口を、高さが約１５〜２０ｃｍ、幅が約１５〜４０ｃｍ程度の大きさのものとして構成したことにより、通常の郵便物挿入口からは宅配できないが、宅配小荷物の大半を占めるやや大型の宅配小荷物、特別配達郵便物を、当該開口を介して受領できる外、開放された防犯玄関ドアーの開口から、不心得な宅配小荷物取扱者、特別送達郵便物配達者等の不用意な侵入を阻止できる。
【００４５】
（５）  請求項２の発明によれば、前記郵便物受箱付宅配小荷物受上部の開放可能なロック手段より下位で、当該郵便物受箱付宅配小荷物受上部に、当該郵便物受箱付宅配小荷物受内の郵便物取出用上蓋を、ヒンジ付等の開閉可能な適宜手段により取付けたことにより、当該宅配小荷物受上部の開放可能なロック手段が、郵便物受箱付宅配小荷物受内の郵便物取出用上蓋により保護され、仮に、不心得な宅配小荷物扱者等が、当該開口を介を腕を挿入しても、前記宅配小荷物受上部の開放可能なロック手段の、開放し難いものを提供する。
【００４６】
（６）  請求項３の発明によれば、防犯用ドア平板の開口周り内側に、適宜形状の平板状補強板を適宜手段により貼着したことにより、郵便物受箱付宅配小荷物受、前記防犯用ドアの平板全体の肉厚を増加し、ひいては、その重量増加を招くことなく、所要の強度を確保できる郵便物受箱、宅配小荷物受付防犯用ドアを提供できる。
【００４７】
（７）  請求項４の発明によれば、この防犯用ドアの開口形成前の、当該平板開口縁内側の切除予定部に、当該切除予定部を、当該開口の上下、左右縁に沿ってそれぞれの内側に折り返し可能な切断線を入れて４つに折り返し可能に切断し、該各切断片を当該開口の上下、左右縁に沿って、当該防犯用ドアの平板内側に折返して、その開口周りを補強したことにより、当該防犯用ドアの前記開口形成前の、当該開口縁内側の切除予定部自体を利用して、他の部材を用いることなく、当該開口部周りを補強できる。
【００４８】
（８）  既存の玄関ドアーの下縁より約２０〜３０ｃｍ程度離間する平板上位に、高さ約１５〜２０ｃｍ程度、幅約１５〜４０ｃｍ程度の開口を設け、該開口の内側に、当該開口を越える大きさで、当該玄関ドア内側への当接面側に、当該開口を越える大きさの、郵便物受箱付宅配小荷物受の外側板を具え、かつ、該郵便物受箱付宅配小荷物受の上部を、防犯用ドア内側の前記開口上縁部内側に、当該防犯用ドア内側から開放可能なロック手段により取付けると共に、当該開口周りを補強板により補強することにより、既存の玄関ドア等にも、その平板部に開口を設けると共に、同開口部内側に、前記郵便物受箱付宅配小荷物受を回動可能に設けるだけの簡易な構造変更により、この発明を容易に実施できる。
【図面の簡単な説明】
【図１】この発明に係る郵便物受箱、宅配小荷物受付防犯用ドアの第１実施態様の、模式裏面説明図である。
【図２】第１実施態様の郵便物受箱、宅配小荷物受付防犯用ドアの表面側の、模式平面説明図である。
【図３】図２のＳ−Ｓ線に沿う模式従断説明図である。
【図４】この発明の第１実施態様の、郵便物受箱、宅配小荷物受付防犯用ドアの平板４内側から、郵便物受箱付宅配小荷物受を取外した状態における、開口１３周りの裏面に、略長方形状ないし略ロ状補強板１４を貼着したものの、模式裏面説明図である。
【図５】この発明に係る郵便物受箱、宅配小荷物受付防犯用ドアの第２実施態様の、その平板の開口形成予定部の、その郵便物受箱付宅配小荷物受を取着ける前の平板に、開口を形成するための切除予定部に切断線を入れて、切断した切断片を、当該開口周りの平板内側に折返して折返補強片とした補強板を、適宜手段により貼着補強した部分の模式平面説明図である。
【符号の説明】
１……防犯用ドア取付枠
２……郵便物受箱、宅配小荷物受付防犯用ドア
３……周縁部（防犯用ドア）
４……平板部（防犯用ドア）
５……ヒンジ（防犯用ドア）
６……係合金具
７……錠
８……ノブ
９……内鍵
１０……覗き窓
１３……開口（平板４）
１４……補強板（略ロ字状）
１４Ａ……開口（補強板）
１４Ｂ……広幅下辺（補強板）
１４Ｃ……上辺（補強板）
１４Ｄ……左辺（補強板）
１４Ｅ……右辺（補強板）
１４ＥＥ……補強板上辺の突部（ロックハンドル取付部）
１５……郵便物受箱付宅配小荷物受
１６……外側板（小ドア）
１７……郵便受口
１８……ヒンジ（蓋１９用）
１９……蓋（郵便物受口）
２０……ヒンジ（郵便物受箱付宅配小荷物受１５下部用）
２１……蓋（郵便物取出口）
２２……ヒンジ（蓋２１用）
２３……引掛け片
２４……雌係合部（郵便物受箱付宅配小荷物受１５上部）
２５……ロックハンドル
２６……枢支ピン
２７……雄係合部（ロックハンドル先端部）
４４……補強板（平板４開口１３部折返片）
４４Ａ……切除予定部（開口１３と同形）
４４Ｂ……下切断片
４４ＢＢ……下折返補強片
４４ＢＢＢ……突部（下折返補強片）
４４Ｃ……上切断片
４４ＣＣ……上折返補強片
４４ＣＣＣ……突部（上折返補強片）
４４Ｄ……左切断片
４４ＤＤ……左折返補強片
４４Ｅ……右切断片
４４ＥＥ……右折返補強片
４６……切断線
Ｐ……開口の開設位置
Ｑ……開口の高さ
Ｒ……開口の幅
【図１】
2004225499.tif 000003
【図２】
2004225499.tif 000004
【図３】
2004225499.tif 000005
【図４】
2004225499.tif 000006
【図５】
2004225499.tif 000007